(57)【要約】【課題】プロテクタ本体の側壁部が倒れ込んでいる場合であっても、プロテクタ本体と蓋を確実にロック結合する。【解決手段】プロテクタ本体と該プロテクタ本体とロック結合する蓋からなり、プロテクタ本体は底壁部と該底壁部の幅方向両側縁から突設する側壁部からなり、該側壁部の外面に係止爪を設け、上記蓋は上壁部と該上壁部の幅方向両側縁から係止穴を備えた側壁部を突設し、蓋の側壁部から所要間隔をあけて倒れ防止リブを側壁部に平行に突設すると共に、該倒れ防止リブ間に蓋の幅方向の誘い込みリブを突設し、該誘い込みリブの端面を側壁部と倒れ防止リブの間に向けて傾斜させて傾斜面とし、プロテクタ本体と蓋の結合時に、プロテクタ本体の側壁部の上端面が蓋の誘い込みリブの傾斜面に当接して、該側壁部が蓋の側壁部と倒れ防止リブとの間に誘い込まれてロック結合される。【選択図】　図３
2004120895.tif 000002
【特許請求の範囲】
【請求項１】
プロテクタ本体と該プロテクタ本体とロック結合する蓋からなり、上記プロテクタ本体にワイヤハーネスを挿通させた後に上記蓋を閉じてロック結合するワイヤハーネス用プロテクタであって、
上記プロテクタ本体は底壁部と該底壁部の幅方向両側縁から突設する側壁部からなり、該側壁部の外面に係止爪を設け、
上記蓋は上壁部と該上壁部の幅方向両側から上記プロテクタ本体の側壁部の外面に被せる両側壁部を備え、該側壁部に上記係止爪が嵌合係止される係止穴を備えると共に上記両側壁部との間にそれぞれプロテクタ本体の側壁部の厚さ寸法に相当する隙間をあけて蓋幅方向の誘い込みリブを上記上壁部より下向きに突設し、かつ、該誘い込みリブの先端の幅方向両隅を切り落とし、
上記プロテクタ本体に上記蓋を被せる時に、上記蓋の誘い込みリブが上記プロテクタ本体の両側壁部の間に押し込まれて両側壁の内方への倒れ込みを阻止し、上記係止爪が係止穴にロックされる構成としていることを特徴とするワイヤハーネス用プロテクタ。
【請求項２】
上記蓋の上壁部より、上記両側壁部との間に夫々間隔をあけて倒れ防止リブを軸線方向に延在させて下向きに突設し、これら倒れ防止リブと側壁部の間に上記プロテクタ本体の側壁部の上端部を嵌合させ、かつ、上記誘い込みリブは上記両側の倒れ防止リブに連結させて設けていると共に、該誘い込みリブの突出量を倒れ防止リブの突出量よりも大としている請求項１に記載のワイヤハーネス用プロテクタ。
【請求項３】
上記誘い込みリブは、短尺な蓋では少なくとも蓋の長さ方向の両端に設ける一方、長尺な蓋では長さ方向の両端と中間部に設けている請求項１または請求項２に記載のワイヤハーネス用プロテクタ。
【請求項４】
上記プロテクタ本体および蓋は直線形状あるいは屈曲形状であり、屈曲形状の蓋では屈曲点の近傍に上記誘い込みリブを設けている請求項１乃至請求項３のいずれか１項の記載のワイヤハーネス用プロテクタ。
【発明の詳細な説明】
【０００１】
【発明が属する技術分野】
本発明は、ワイヤハーネス用プロテクタに関し、詳しくは、プロテクタ本体の側壁が内側に倒れ込むのを規制しながら蓋のロック結合をスムーズに行えるようにするものである。
【０００２】
【従来の技術】
従来、自動車に配索されるワイヤハーネスには、外部干渉材からのワイヤハーネスの保護およびワイヤハーネスの配索ラインを規制する等の目的から、樹脂成型品であるプロテクタの内部にワイヤハーネスを挿通させて組み付け、該プロテクタを車体に固定している。
【０００３】
上記ワイヤハーネス用プロテクタとして、図６に示すプロテクタ１があり、該プロテクタ１は樋形状のプロテクタ本体２にワイヤハーネスを挿通後、蓋３をロック結合している。このプロテクタ本体２と蓋３とのロック結合を確実なものとするため、プロテクタ本体２の側壁部が内側へ倒れ込むのを防止する倒れ防止リブ３ａを蓋３の長さ方向全域に亙って突設している。
【０００４】
【特許文献１】
特開２００２−１１８９２４号公報
【０００５】
【発明が解決しようとする課題】
しかしながら、上記プロテクタ１であると、プロテクタ本体２と蓋３とをロック結合する前に、プロテクタ本体２の側壁部が内側へ倒れ込んで正規の位置からずれていると、図７に示すように、プロテクタ本体２の側壁部上端と蓋３の倒れ防止リブ３ａの下端とが干渉するためロック結合できず、この状態からロック結合をするには人手によりプロテクタ本体２の側壁部を正規位置に戻しながらロック結合の作業をしなければならず、作業効率が悪いという問題がある。
【０００６】
本発明は上記問題に鑑みてなされたものであり、プロテクタ本体と蓋のロック結合を確実にすると共に、ロック結合作業を容易にすることを課題としている。
【０００７】
【課題を解決するための手段】
上記課題を解決するため、本発明は、プロテクタ本体と該プロテクタ本体とロック結合する蓋からなり、上記プロテクタ本体にワイヤハーネスを挿通させた後に上記蓋を閉じてロック結合するワイヤハーネス用プロテクタであって、
上記プロテクタ本体は底壁部と該底壁部の幅方向両側縁から突設する側壁部からなり、該側壁部の外面に係止爪を設け、
上記蓋は上壁部と該上壁部の幅方向両側から上記プロテクタ本体の側壁壁の外面に被せる両側側壁を備え、該側壁壁に上記係止爪が嵌合係止される係止穴を備えると共に上記両側壁部との間にそれぞれプロテクタ本体の側壁部の厚さ寸法に相当する隙間をあけて蓋幅方向の誘い込みリブを上記上壁部より下向きに突設し、かつ、該誘い込みリブの先端の幅方向両隅を切り落とし、
上記プロテクタ本体に上記蓋を被せる時に、上記蓋の誘い込みリブが上記プロテクタ本体の両側壁部の間に押し込まれて両側壁の内方への倒れ込みを阻止し、上記係止爪が係止穴にロックされる構成としていることを特徴とするワイヤハーネス用プロテクタを提供している。
【０００８】
上記構成とすると、プロテクタ本体に蓋を被せる時に、プロテクタ本体の側壁部上端が誘い込みリブの両隅の切り落とした傾斜部に当接し、プロテクタ本体の側壁部が押し広げられて、蓋の誘い込みリブがプロテクタ本体の両側壁部の間に押し込まれて両側壁部の内方への倒れ込みを阻止し、プロテクタ本体の側壁部外面に設けた係止爪が蓋の側壁部に設けた係止穴にロックされる。これにより、プロテクタ本体の側壁部が倒れ込むのを防止するための倒れ防止リブを設ける必要がなくなり、プロテクタ本体と蓋とのロック結合を容易にすることができる。
【０００９】
また、上記蓋の上壁部より、上記両側壁部との間に夫々間隔をあけて倒れ防止リブを軸線方向に延在させて下向きに突設し、これら倒れ防止リブと側壁部の間に上記プロテクタ本体の側壁部の上端部を嵌合させてもよい。このとき、上記誘い込みリブは上記両側の倒れ防止リブに連結させて設けていると共に、該誘い込みリブの突出量を倒れ防止リブの突出量よりも大としている。
【００１０】
上記構成とすると、プロテクタ本体の側壁部が内側に倒れ込んでいる場合であっても、プロテクタ本体と蓋とをロック結合する際に、プロテクタ本体の側壁部の上端が蓋に設けた誘い込みリブの傾斜面に当接して、側壁部が蓋の側壁部と倒れ防止リブの間に誘い込まれてロック結合される。これにより、プロテクタ本体の倒れ込んだ側壁部を正規位置に戻しながらロック結合する必要がないため、容易にプロテクタ本体と蓋とをロック結合することができ、作業効率を向上させることができる。
また、誘い込みリブの突出量を倒れ防止リブの突出量よりも大としているので、常にプロテクタ本体の側壁部が倒れ防止リブよりも誘い込みリブに先に当接し、確実にプロテクタ本体の側壁部を蓋の側壁部と倒れ込み防止リブの間に誘い込んでロック結合することができる。
【００１１】
上記誘い込みリブは、短尺な蓋では少なくとも蓋の長さ方向の両端に設ける一方、長尺な蓋では長さ方向の両端と中間部に設けている。
このように、プロテクタが直線形状の場合、蓋の長さ方向の端部から順にプロテクタ本体とロック結合していくが、この端部に誘い込みリブを設けているので、ロック結合作業の初期段階でプロテクタ本体の側壁部の倒れ込みを規制して、プロテクタ本体と蓋のロック結合を容易にすることができる。
また、長尺なプロテクタの場合、中間部に誘い込みリブを設けておくと、確実にプロテクタ本体の側壁部の倒れ込みを防止することができると共に、プロテクタを補強することができる。
【００１２】
上記プロテクタ本体および蓋は直線形状あるいは屈曲形状であり、屈曲形状の蓋では屈曲点の近傍に上記誘い込みリブを設けている。
プロテクタが屈曲している場合、屈曲点に近い位置からロック結合していくが、屈曲点の近傍、例えば、倒れ防止リブの屈曲点側端部に誘い込みリブを突設しているので、ロック結合作業の初期段階でプロテクタ本体の側壁部の倒れ込みを規制することができ、プロテクタ本体と蓋のロック結合を容易にすることができる。
【００１３】
【発明の実施の形態】
以下、本発明の実施の形態を図面を参照して説明する。
図１乃至図３は本発明の第１実施形態を示し、ワイヤハーネス用プロテクタ１０は自動車に配索するワイヤハーネスＷ／Ｈを収容するプロテクタ本体１１と該プロテクタ本体１１の上方に設けた開口１１ｃを閉鎖する蓋１２とからなる。
【００１４】
上記プロテクタ本体１１は底壁部１１ａと該底壁部１１ａの幅方向両側縁に突設する側壁部１１ｂとからなり、上方を蓋１２を嵌合して閉鎖する開口１１ｃとする一方、長さ方向の両端をプロテクタ本体１１に収容するワイヤハーネスＷ／Ｈを引き出す開口１１ｄとしている。また、側壁部１１ｂの外面の所要箇所に係止爪１１ｅを設けている。
【００１５】
図２に示す蓋１２は、上壁部１２ａと該上壁部１２ａの幅方向両側縁に突設する側壁部１２ｂとからなり、両側壁部１２ｂからそれぞれプロテクタ本体１１の側壁部１１ｂの厚さ寸法に相当する隙間をあけて蓋１２の長さ方向全域に亙る倒れ防止リブ１２ｃを突設している。蓋１２の長さ方向の両端には、倒れ防止リブ１２ｃ間に蓋１２の幅方向の誘い込みリブ１２ｄを突設している。該誘い込みリブ１２ｄは両端部を切り落として傾斜部１２ｄ−１とし、側壁部１２ｂと倒れ防止リブ１２ｃの間に向けて傾斜させ、両端のリブ高さを倒れ防止リブ１２ｃのリブ高さと一致させている。また、蓋１２の側壁部１２ｂの所要箇所に、プロテクタ本体１１の係止爪１１ｅと嵌合する係止穴１２ｅを設けている。
【００１６】
上記プロテクタ本体１１にワイヤハーネス（図示せず）を挿通後、図３（Ａ）に示すように、蓋１２をプロテクタ本体１１の上方からプロテクタ本体１１の開口１１ｃに被せる。このとき、図３（Ｂ）に示すように、プロテクタ本体１１の側壁部１１ｂの上端が誘い込みリブ１２ｄの傾斜部１２ｄ−１に当接して、側壁部１１ｂが外方へ押し出されて正規位置に戻り、蓋１２の側壁部１２ｂと倒れ防止リブ１２ｃとの間に誘い込まれて、プロテクタ本体１１と蓋１２とがロック結合される。
【００１７】
上記構成とすると、プロテクタ本体１１の側壁部１１ｂが内側に倒れ込んでいる場合であっても、プロテクタ本体１１と蓋１２とをロック結合する際に、蓋１２に設けた誘い込みリブにより側壁部１１ｂが蓋１２の側壁部１２ｂと倒れ防止リブ１２ｃの間に誘い込まれてロック結合される。これにより、プロテクタ本体１１の倒れ込んだ側壁部１１ｂを正規位置に戻しながらロック結合する必要がないため、容易にプロテクタ本体１１と蓋１２とをロック結合することができる。
【００１８】
図４は、上記第１実施形態の変形例を示し、蓋１２には、誘い込みリブ１２ｄのみ設けており、倒れ防止リブ１２ｃを設けていない。
他の構成は上記第１実施形態と同様のため説明を省略する。
【００１９】
上記構成とすると、プロテクタ本体１１に蓋１２を被せる時に、プロテクタ本体１１の側壁部１１ｂ上端が誘い込みリブ１２ｄの両隅の切り落とした傾斜部１２ｄ−１に当接し、プロテクタ本体１１の側壁部１１ｂが押し広げられて、蓋１２の誘い込みリブ１２ｄがプロテクタ本体１１の両側壁部１１ｂの間に押し込まれて両側壁部１１ｂの内方への倒れ込みを阻止し、確実にロック結合される。
【００２０】
図５は、本発明の第２実施形態を示し、ワイヤハーネス用プロテクタ１０’のプロテクタ本体１１’は、底壁部１１ａ’と側壁部１１ｂ’とからなり、その一方の側壁部１１ｂ’に蓋１２’が薄肉ヒンジ１３を介して連結されており、屈曲点Ｐにおいて屈曲している。蓋１２’は、プロテクタ本体１１’にワイヤハーネス（図示せず）を挿通させた後に矢印方向に回動させて閉じ、プロテクタ本体１１’の他方の側壁１１ｂ’にロック結合する構成としている。
【００２１】
屈曲点Ｐを挟む一側では、蓋１２’に、係止穴１２ｅ’を設けた側壁部１２ｂ’を幅方向両側縁に突設しており、平板状の倒れ防止リブ１２ｃ’を閉鎖時に内面側となる面に屈曲点Ｐの近傍より側壁部１２ｂ’と対応した位置まで突設している。該倒れ防止リブ１２ｃ’間には、上記第１実施形態と同形状の誘い込みリブ１２ｄ’を設けており、該誘い込みリブ１２ｄ’は、屈曲点Ｐから離れた位置に設けている倒れ防止リブ１２ｃ−１’の屈曲点Ｐ側端部から対向する倒れ防止リブ１２ｃ−２’にかけて設けている。プロテクタ本体１１’には側壁部１１ｂ’の外面に、係止穴１２ｅ’に係止する係止爪１１ｅ’を設けている。
【００２２】
屈曲点Ｐの近傍では、蓋１２の屈曲位置の内面側に平板状の位置決め用リブ１２ｆを突設しており、閉鎖時に側壁部１１ｂ’の内面に当接する構成としている。
【００２３】
屈曲点Ｐを挟む他側では、プロテクタ本体１１’と蓋１２’とを連結する薄肉ヒンジ１３を一方の側に設けている。蓋１２には、係止穴１２ｅ’を設けた側壁部１２ｂ’と倒れ防止リブ１２ｃ’を薄肉ヒンジ１３に対向する側に設けている。側壁部１１ｂ’には、側壁を窪み状とした段違い壁部１１ｆを上記側壁部１２ｂ’と倒れ防止リブ１２ｃ’に対応する箇所に設けており、該段違い壁部１１ｆの外面に、係止穴１２ｅ’に係止する係止爪１１ｅ’を設けている。
【００２４】
上記ワイヤハーネス用プロテクタ１０’は、プロテクタ本体１１’にワイヤハーネス（図示せず）を挿通した後に、薄肉ヒンジ１３を介して蓋１２’を矢印方向に回動させて閉じている。蓋１２’を矢印方向に回動して閉じていくと、プロテクタ本体１１’の側壁部１１ｂ’の上端が誘い込みリブ１２ｄ’の傾斜部に当接して、側壁部１１ｂ’が外方へ押し出されて正規位置に戻り、蓋１２’の側壁部１２ｂ’と倒れ防止リブ１２ｃ’との間に誘い込まれて、プロテクタ本体１１’と蓋１２’とがロック結合される。
【００２５】
上記構成とすると、プロテクタ本体１１’の側壁部１１ｂ’が内側に倒れ込んでいる場合であっても、プロテクタ本体１１’と蓋１２’とをロック結合する際に、蓋１２’に設けた誘い込みリブにより側壁部１１ｂ’が正規位置に戻されてロック結合される。これにより、プロテクタ本体１１’の倒れ込んだ側壁部１１ｂ’を正規位置に戻しながらロック結合する必要がないため、容易にプロテクタ本体１１’と蓋１２’とをロック結合することができる。
また、屈曲点Ｐにできる限り近い位置に誘い込みリブ１２ｄ’を設けているので、プロテクタ本体１１’と蓋１２’の結合作業の初期段階でプロテクタ本体１１’の側壁部１１ｂ’が正規位置に規制され、確実にロック結合をすることができる。
【００２６】
【発明の効果】
以上の説明より明らかなように、本発明によれば、プロテクタ本体に蓋を被せる時に、プロテクタ本体の側壁部上端が誘い込みリブの両隅の切り落とした傾斜部に当接し、プロテクタ本体の側壁部が押し広げられて、蓋の誘い込みリブがプロテクタ本体の両側壁部の間に押し込まれて両側壁部の内方への倒れ込みを阻止し、プロテクタ本体の側壁部外面に設けた係止爪が蓋の側壁部に設けた係止穴にロックされる。これにより、プロテクタ本体の側壁部が倒れ込むのを防止するための倒れ防止リブを設ける必要がなくなり、プロテクタ本体と蓋とのロック結合を容易にすることができる。
【００２７】
また、倒れ防止リブを設けた場合であっても、倒れ防止リブ間に誘い込みリブを設けることで、プロテクタ本体と蓋とをロック結合する際に、蓋に設けた誘い込みリブにより側壁部が正規位置に戻されてロック結合される。これにより、プロテクタ本体と蓋のロック結合を容易にすることができ、作業効率を向上することができる。
【図面の簡単な説明】
【図１】本発明の第１実施形態のプロテクタを示す斜視図である。
【図２】（Ａ）は上記プロテクタの蓋を示す斜視図、（Ｂ）は正面図である。
【図３】（Ａ）はプロテクタ本体と蓋の結合前の正面図、（Ｂ）はプロテクタ本体と蓋の結合中の正面図である。
【図４】第１実施形態の変形例を示す図面である。
【図５】本発明の第２実施形態のプロテクタを示す斜視図である。
【図６】従来例を示す図面であり、（Ａ）はプロテクタの斜視図、（Ｂ）は蓋の斜視、（Ｃ）は蓋の正面図である。
【図７】従来の問題点を示す図面である。
【符号の説明】
１０、１０’　プロテクタ
１１、１１’　プロテクタ本体
１１ｂ、１１ｂ’　側壁部
１２、１２’　蓋
１２ｂ、１２ｂ’　側壁部
１２ｃ、１２ｃ’　倒れ防止リブ
１２ｄ、１２ｄ’　誘い込みリブ
１３　薄肉ヒンジ
【図１】
2004120895.tif 000003
【図２】
2004120895.tif 000004
【図３】
2004120895.tif 000005
【図４】
2004120895.tif 000006
【図５】
2004120895.tif 000007
【図６】
2004120895.tif 000008
【図７】
2004120895.tif 000009